(57)【要約】【課題】再生されるコンテンツからユーザの趣味嗜好を調査し、ユーザの趣味嗜好に応じた広告を表示する光ディスク装置および広告システムを提供する。【解決手段】ＢＤ−ＬＩＶＥ対応のＢＤ−ＲＯＭが装置本体にセットされ、ＢＤ−ＬＩＶＥの項目が選択されると、ＢＤプレーヤ２は、蓄積テーブル２９Ｂに保存されている全ジャンルの内、再生回数が所定回数以上のジャンルをWebサーバ４に送信する。Webサーバ４は、ＢＤプレーヤ２から送信されたジャンルを受信すると、例えばアニメのジャンルに対応する広告ファイル４４Ａを対応テーブル４３から読み出し、その広告ファイル４４Ａを返信する。ＢＤプレーヤ２は、広告ファイル４４Ａをダウンロードすると、その広告ファイル４４Ａに保存されている広告の画像データに基づく広告の画像をＴＶ３で表示する。【選択図】  図９
2010165424.tif 000002
【特許請求の範囲】
【請求項１】
装置本体にセットされている光ディスクから、記録されているコンテンツを読み取って再生する再生手段を備える光ディスク装置において、
前記再生手段によりコンテンツが再生される毎に、該コンテンツのジャンルを判定する判定手段と、
前記判定手段で判定されたジャンルと該ジャンルの再生回数とを対応付けて保存する第一のテーブルと、
ブラウザソフトが予め記録された光ディスクが装置本体にセットされている状態で該ブラウザソフトの起動が指示されると、前記第一のテーブルに保存されているジャンルの内、再生回数が所定回数以上のジャンルに応じた広告の画像データを、予め定められたサーバからネットワークを介してダウンロードする通信手段と、
前記通信手段でダウンロードした広告の画像データを出力する出力手段であって、出力される該画像データに基づく広告を表示する表示装置と接続される出力手段と、を備えることを特徴とする光ディスク装置。
【請求項２】
複数のコンテンツのタイトル名と複数のジャンルとを予め対応付けて保存する第二のテーブルを備え、
前記判定手段は、前記再生手段によりコンテンツが再生される毎に、該コンテンツのタイトル名を前記光ディスクから取得し、取得したタイトル名に対応するジャンルを前記第二のテーブルから読み取って、ジャンルを判定することを特徴とする請求項１に記載の光ディスク装置。
【請求項３】
前記ブラウザソフトが予め記録された光ディスクは、ＢＤ−ＬＩＶＥ対応のブルーレイディスクであることを特徴とする請求項１又は２に記載の光ディスク装置。
【請求項４】
請求項１から３のいずれかに記載の光ディスク装置と、
ネットワークを介して前記光ディスク装置と接続されるサーバと、を有する広告システムであって、
前記サーバは、
ジャンルと広告の画像データとを対応付けて保存する記憶手段と、
前記光ディスク装置から送信されるジャンルを受信すると、そのジャンルに応じた広告の画像データを前記記憶手段から読み出し、読み出した広告の画像データを前記通信手段に返信する返信手段と、を備えることを特徴とする広告システム。
【発明の詳細な説明】
【技術分野】
【０００１】
本発明は、光ディスクに記録されているコンテンツを再生するネットワーク接続環境下にある光ディスク装置、及びこの光ディスク装置を用いた広告システムに関するものである。
【背景技術】
【０００２】
従来から、ＢＤ（Blu-ray  Disk）などの光ディスクに記録されているコンテンツを再生し、ネットワーク接続環境下にある光ディスク装置が一般に広く普及している。
【０００３】
このような光ディスクの中には、例えば、ブラウザソフトが予め記録されたＢＤ−ＬＩＶＥ対応のブルーレイディスクがある。ＢＤ−ＬＩＶＥとは、ネットワークに接続された光ディスク装置を通じてサーバにアクセスし、最新の映画の予告編や上映開始日やＢＤ販売開始日などを示す広告データをサーバからダウンロードし、光ディスク装置に接続されるテレビジョン等で広告を表示する広告提供サービスである。
【０００４】
ＢＤ−ＬＩＶＥ対応のブルーレイディスクが装置本体にセットされた状態でユーザがブラウザソフトの起動を指定すると、光ディスク装置は、サーバにアクセスし、広告データをサーバからダウンロードしていた。これによりユーザは、テレビジョン等で表示される広告を見ていた。
なお、特許文献１では、情報記録再生装置が提案されている。
【先行技術文献】
【特許文献】
【０００５】
【特許文献１】特開２００８−２０４２６１公報
【発明の概要】
【発明が解決しようとする課題】
【０００６】
しかしながら、従来の光ディスク装置において、表示される上記広告はユーザの趣味嗜好に合ったものとは限らない。そのため、従来の光ディスク装置ではユーザの趣味嗜好と異なる広告がテレビジョン等で表示されることも多かった。
よって、従来の光ディスク装置では、広告を表示してもユーザに見てもらえなかったり、装置本体にセットされた光ディスクがＢＤ−ＬＩＶＥ対応であってもＢＤ−ＬＩＶＥが利用されなかったりすることがあった。従って、従来の光ディスク装置では、ブラウザソフトが予め記録された光ディスクによって提供される広告の宣伝効果が非常に低いという問題があった。
【０００７】
本発明はこのような従来の課題を解決しようとするものであり、再生されるコンテンツからユーザの趣味嗜好を調査し、ユーザの趣味嗜好に応じた広告を表示する光ディスク装置および広告システムを提供することを目的とする。
【課題を解決するための手段】
【０００８】
本発明の光ディスク装置は、前記課題を解決するために以下の構成を備えている。
【０００９】
（１）装置本体にセットされている光ディスクから、記録されているコンテンツを読み取って再生する再生手段を備える光ディスク装置において、
前記再生手段によりコンテンツが再生される毎に、該コンテンツのジャンルを判定する判定手段と、
前記判定手段で判定されたジャンルと該ジャンルの再生回数とを対応付けて保存する第一のテーブルと、
ブラウザソフトが予め記録された光ディスクが装置本体にセットされている状態で該ブラウザソフトの起動が指示されると、前記第一のテーブルに保存されているジャンルの内、再生回数が所定回数以上のジャンルに応じた広告の画像データを、予め定められたサーバからネットワークを介してダウンロードする通信手段と、
前記通信手段でダウンロードした広告の画像データを出力する出力手段であって、出力される該画像データに基づく広告を表示する表示装置と接続される出力手段と、を備えることを特徴とする。
【００１０】
この構成において、光ディスクは、例えば、ブラウザソフトが予め記録されたＢＤ−ＲＯＭ、ブラウザソフトが予め記録されていないタイプのＢＤ−ＲＯＭ、又はＤＶＤ−ＲＯＭである。表示装置は、例えばテレビジョン、又はモニタである。
【００１１】
この構成では、ユーザの趣味嗜好を調査する第一の場面と、広告をサーバからダウンロードする第二の場面と、に分かれる。まず、第一の場面では、光ディスクに記録されているコンテンツが再生される毎に、該コンテンツのジャンルが判定手段により判定される。そして、ジャンルと該ジャンルの再生回数が第一のテーブルに保存される。
次に、第二の場面について説明する。ブラウザソフトが予め記録された光ディスクが装置本体にセットされ、該ブラウザソフトの起動が指示されると、第一のテーブルに保存されている全ジャンルの内、再生回数が所定回数以上のジャンルに応じた広告の画像データを、通信手段がサーバからダウンロードする。所定回数は、例えば２回、５回、又は１０回であり、ユーザの趣味嗜好があると判断できる回数に予め設定する。出力手段は、広告の画像データを通信手段がダウンロードすると、その広告の画像データに基づく広告の画像を表示装置で表示する。ここで、この広告は、再生されるコンテンツからユーザの趣味嗜好を調査しているため、ユーザの趣味嗜好に応じた広告となっている。そのため、広告が表示装置で表示されると、ユーザは興味を持ってこの広告を見る。
よって、ブラウザソフトが予め記録された光ディスクによって提供される広告の宣伝効果が向上できる。また、表示される広告はユーザにとっても感心の高いものであるため、同ブラウザソフトの利用率も向上できる。
【００１２】
（２）複数のコンテンツのタイトル名と複数のジャンルとを予め対応付けて保存する第二のテーブルを備え、
前記判定手段は、前記再生手段によりコンテンツが再生される毎に、該コンテンツのタイトル名を前記光ディスクから取得し、取得したタイトル名に対応するジャンルを前記第二のテーブルから読み取って、ジャンルを判定することを特徴とする。
【００１３】
この構成では、上記（１）におけるジャンルの判定方法を明示している。
【００１４】
（３）前記ブラウザソフトが予め記録された光ディスクは、ＢＤ−ＬＩＶＥ対応のブルーレイディスクであることを特徴とする。
【００１５】
また、本発明の広告システムは、前記課題を解決するために以下の構成を備えている。
【００１６】
（４）上記（１）から（３）のいずれかに記載の光ディスク装置と、
ネットワークを介して前記光ディスク装置と接続されるサーバと、を有する広告システムであって、
前記サーバは、
ジャンルと広告の画像データとを対応付けて保存する記憶手段と、
前記光ディスク装置から送信されるジャンルを受信すると、そのジャンルに応じた広告の画像データを前記記憶手段から読み出し、読み出した広告の画像データを前記通信手段に返信する返信手段と、を備えることを特徴とする。
【００１７】
この構成における広告システムは、上記（１）の光ディスク装置を用いる。
よって、この構成では上記（１）と同様の効果を奏する。
【発明の効果】
【００１８】
この発明によれば、ユーザの趣味嗜好に応じた広告を表示できる。そのため、ブラウザソフトが予め記録された光ディスクによって提供される広告の宣伝効果が向上できる。
【図面の簡単な説明】
【００１９】
【図１】本発明の実施形態である広告システムのシステム構成図
【図２】広告システムに用いられるＢＤプレーヤの主要な構成を示すブロック図
【図３】広告システムに用いられるWebサーバの主要な構成を示すブロック図
【図４】上記Webサーバのハードディスクに保存されている対応テーブルの内容を示す図
【図５】タイトル名とジャンルとを予め対応付けた変換テーブルの内容を示す図
【図６】上記ＢＤプレーヤの制御部が再生時に行う動作を示すフローチャート
【図７】ジャンルと再生回数とを対応付けた蓄積テーブルの内容を示す図
【図８】上記ＢＤプレーヤと上記Webサーバの両制御部が光ディスクセット時に行う動作を示すフローチャート
【図９】ＢＤ−ＬＩＶＥで表示される広告の一例を示す図
【発明を実施するための形態】
【００２０】
以下、本発明の実施形態である広告システムについて説明する。
【００２１】
図１は、本発明の実施形態である広告システムのシステム構成図である。広告システム１０１は、光ディスク１００がセットされるＢＤプレーヤ２と、インタフェースを介してＢＤプレーヤ２と接続されるテレビジョン（以下、「TV」と称する）３と、ネットワーク５を介してＢＤプレーヤ２と接続されるWebサーバ４と、を備える。
【００２２】
なお、ＢＤプレーヤ２及びTV３は、各ユーザの家で使用される。Webサーバ４は、ネットワーク５上に設けられたサーバである。つまり、Webサーバ４が１台に対し、ＢＤプレーヤ２を含む複数台の光ディスク装置がネットワーク５を介して接続されている。
【００２３】
光ディスク１００は、例えば、ＢＤ（Blu-ray  Disk）規格に準拠して製造されたＢＤ−ＲＯＭ、ブラウザソフトが予め記録されたＢＤ−ＬＩＶＥ対応のＢＤ−ＲＯＭ、又はＤＶＤ−ＲＯＭである。光ディスク１００は、ユーザが過去に購入して所持しているディスクとする。ここで、ＢＤ−ＬＩＶＥとは、ネットワーク５に接続されたＢＤプレーヤ２を通じてWebサーバ４にアクセスし、最新の映画の予告編や上映開始日やＢＤ販売開始日などを示す広告データをWebサーバ４からダウンロードし、TV３で広告を表示する広告提供サービスである。
【００２４】
ＢＤプレーヤ２は、光ディスク１００からコンテンツデータを読み取り、インタフェースを介してTV３に出力する。これにより、ＢＤプレーヤ２は、光ディスク１００に記録されているコンテンツをTV３で再生する。
【００２５】
ネットワーク５は、この実施形態ではインターネットとする。
【００２６】
図２は、本発明の実施形態であるＢＤプレーヤの主要な構成を示すブロック図である。ＢＤプレーヤ２は、装置本体２の各部の動作を制御する制御部２１と、光ディスク１００に対しデータの読取を行うピックアップヘッド２２（以下、PUヘッド２２と称する。）と、PUヘッド２２から出力されるデータをデコードする再生回路２３と、再生回路２３から出力される音声データをアナログの再生音声信号に変換する音声出力部２４と、再生回路２３から出力される画像データをアナログの再生画像信号に変換する画像出力部２５と、を備えている。さらに、ＢＤプレーヤ２は、ユーザの操作入力を受け付ける操作部２７と、装置本体２を遠隔操作するリモコン２７Aと、情報を表示する表示部２８と、データを保存する記憶部２９と、ルータ（不図示）を介してネットワーク５に接続されているＮＩＣ（Network Interface Card）２０と、を備えている。
【００２７】
PUヘッド２２は、図示しないレーザダイオード（ＬＤ）、コリメータレンズ、ビームスプリッタ、対物レンズ、フォトディテクタ、スレッドモータ、及びアクチュエータを有している。
【００２８】
まず、再生を行う部分の構成について詳述する。
【００２９】
PUヘッド２２は、光ディスク１００に対してレーザ光を照射し、光ディスク１００からの反射光をフォトディテクタで検出する。これにより、PUヘッド２２は、光ディスク１００に記録されているデータを光学的に読み出す。
【００３０】
再生回路２３は、PUヘッド２２における複数の受光素子の出力に基づいてＲＦ信号を生成し、該ＲＦ信号を増幅する。そして、再生回路２３は、該ＲＦ信号を処理して画像と音声のデータを取り出す。ここで、取り出される画像と音声のデータは、バッファメモリ２３Ａに一時的に格納される。そして、再生回路２３は、これらのデータをバッファメモリ２３Ａから順次読み出し、例えばＭＰＥＧでデコードする。そして、再生回路２３は、音声データを音声出力部２４に、画像データを画像出力部２５に、これらのデータの同期を取りながら、それぞれ出力する。
【００３１】
音声出力部２４は、音声データをアナログの再生音声信号に変換し、その再生音声信号をオーディオポート２４Ａから外部のＴＶ３に出力する。画像出力部２５は、再生回路２３から出力された画像データをアナログの再生画像信号に変換し、ビデオポート２５Ａから外部のＴＶ３に出力する。
【００３２】
ＴＶ３は、ＢＤプレーヤ２からインタフェースを介して出力された信号を処理して、画像を画面上に表示したり音声を出力したりする。
【００３３】
ユーザは、このＴＶ３において、音声出力部２４及び画像出力部２５から出力された再生画像信号に基づく画像、及び再生音声信号に基づく音声を視聴することができる。これにより、ユーザは、光ディスク１００に記録されているコンテンツを視聴する。
【００３４】
表示部２８は、現在時刻、ＢＤプレーヤ２の設定状態、所定のメッセージなどを表示する。
【００３５】
操作部２７は、ユーザがＢＤプレーヤ２に対して各種の命令（コマンド）を入力するためのものである。操作部２７には、ユーザの操作を受け付ける複数のキーが設けられている。ＢＤプレーヤ２に対してユーザが入力したコマンドは制御部２１に伝送される。
複数のキーの中には、光ディスク１００の再生を指示するための再生キー、後述するメニュー画面においてコンテンツを構成する各チャプタ、及びＢＤ−ＬＩＶＥの内のいずれかの選択を受け付ける選択キー、が含まれる。
なお、操作部２７には、リモコン信号検出部（不図示）が設けられている。リモコン信号検出部に対し、装置本体の外部からリモコン２７Aを用いて、電源のON／OFF、再生指示等の命令が入力されると、リモコン信号検出部は、リモコン２７Aからの命令信号を受信して制御部２１に伝送する。リモコン２７Aには、操作部２７と同様のキーが設けられている。
【００３６】
記憶部２９は、例えばＥＥＰＲＯＭで構成されている。記憶部２９は、装置本体２の各部の制御方法が記述された制御プログラムを保存する。さらに、記憶部２９は、後述の図５に示す変換テーブル２９Ａと、後述の図７に示す蓄積テーブル２９Ｂと、を格納する。ここで、蓄積テーブル２９Ｂが、本発明の「第一のテーブル」に相当し、変換テーブル２９Ａが、本発明の「第二のテーブル」に相当する。変換テーブル２９Ａ及び蓄積テーブル２９Ｂの詳細については後述する。
なお、記憶部２９は、さらにWebサーバ４のURLを保存する。このURLは、ネットワーク５上のアドレスを示す情報である。
【００３７】
制御部２１は、例えばマイクロコンピュータで構成される。また、制御部２１は、上記の制御プログラムなどを展開するワークフィールドとしてのＲＡＭ２１Ａと、現在時刻の計時を行うタイマー回路２１Ｂと、を内蔵する。制御部２１は、ユーザから操作部２７で入力された命令に応じてＢＤプレーヤ２の各部の動作を制御する。
【００３８】
なお、ＰＵヘッド２２、再生回路２３、音声出力部２４、及び画像出力部２５が、本発明の「再生手段」に相当する。また、制御部２１が、本発明の「判定手段」に相当する。また、再生回路２３及び画像出力部２５が、本発明の「出力手段」に相当する。また、制御部２１及びＮＩＣ２０が、本発明の「通信手段」に相当する。
【００３９】
図３は、広告システムに用いられるWebサーバの主要な構成を示すブロック図である。Webサーバ４は、ルータ（不図示）を介してネットワーク５と接続されているNIC（Network Interface Card）４０と、Webサーバ４の各部の動作を制御する制御部４１と、Webサーバ４の各部の制御方法が記述された制御プログラムを保存するハードディスク４２と、を備える。Webサーバ４は、主に、ＢＤ−ＬＩＶＥ対応のＢＤ−ＲＯＭを提供している会社に設けられることを想定している。
【００４０】
制御部４１は、例えばMPUである。さらに、制御部４１は、上記制御プログラムを展開するためのワークフィールドとしてのRAM（不図示）を内蔵する。
【００４１】
なお、制御部４１が、本発明の「返信手段」に相当する。また、ハードディスク４２が、本発明の「記憶手段」に相当する。
【００４２】
図４は、上記Webサーバのハードディスクに保存されている対応テーブルの内容を示す図である。ハードディスク４２は、複数のジャンルと各ジャンルに対応する広告ファイル４４Ａ〜４４Ｃとが対応付けられた対応テーブル４３を保存する。広告ファイル４４Ａには、アニメジャンルに対応する広告の画像データが格納されており、広告ファイル４４Ｂには、洋画ジャンルに対応する広告の画像データが格納されており、広告ファイル４４Ｃには、邦画ジャンルに対応する広告の画像データが格納されている。
【００４３】
図２に戻り、ＢＤプレーヤ２の記憶部２９は、図５に示すような変換テーブル２９Ａを予め格納している。
【００４４】
図５は、タイトル名とジャンルとを予め対応付けた変換テーブルの内容を示す図である。変換テーブル２９Ａには、複数のコンテンツのタイトル名と複数のジャンルとが対応付けて記述されている。この変換テーブル２９Ａの内容は、例えば制御部２１が一週間毎にＷｅｂサーバ４にアクセスし、最新の情報にアップデートする。そのため、この一覧のタイトル名の数は、映画等がＢＤ−ＲＯＭで発売される都度増えていく。
【００４５】
図６は、上記ＢＤプレーヤの制御部が再生時に行う動作を示すフローチャートである。この動作は、ユーザが装置本体に光ディスク１００をセットして、光ディスク１００に記録されているコンテンツの再生を再生キーで指示した時の動作である。この動作は、ユーザの趣味嗜好を調査するための動作であり、該コンテンツが再生される都度実行される。
【００４６】
再生キーが操作されると、制御部２１は、光ディスク１００に記録されているコンテンツを再生する（Ｓ１）。この際、制御部２１は、そのコンテンツのタイトル名を光ディスク１００の制御情報からＰＵヘッド２２及び再生回路２３を介して取得する（Ｓ２）。制御情報は、例えば光ディスク１００のＶＭＧ（Video Manager）、光ディスク１００のＶＴＳＩ（Video Title SetInformation）、光ディスク１００のリードイン領域に記述されている情報である。
【００４７】
そして、制御部２１は、取得したタイトル名から上記再生されたコンテンツのジャンルを判定する（Ｓ３）。この判定は、取得したタイトル名に対応するジャンルを図５に示す変換テーブル２９Ａから読み取ることにより行われる。
【００４８】
制御部２１は、蓄積テーブル２９Ｂにおいて、判定したジャンルの再生回数を加算し（Ｓ４）、本処理を終了する。ここでは、ユーザの趣味嗜好を調査した結果を保存している。
【００４９】
図７は、ジャンルと再生回数とを対応付けた蓄積テーブルの内容を示す図である。蓄積テーブル２９Ｂは、判定されるジャンルとそのジャンルの再生回数と対応付けたテーブルである。この再生回数は、コンテンツが再生される都度増えていく。
なお、この実施形態では、ジャンルに再生回数のみを対応付けて蓄積テーブル２９Ｂに保存させているが、実施の際は、そのジャンルに再生回数と再生時の字幕言語および音声言語も対応付けて蓄積テーブル２９Ｂに保存させても構わない。
【００５０】
図８は、上記ＢＤプレーヤと上記Webサーバの両制御部が光ディスクセット時に行う動作を示すフローチャートである。
【００５１】
ユーザが装置本体に光ディスク１００をセットすると、ＢＤプレーヤ２の制御部２１は、セットされた光ディスク１００がＢＤ−ＬＩＶＥ対応のＢＤ−ＲＯＭであるか、ＢＤ−ＬＩＶＥ対応のＢＤ−ＲＯＭ以外の光ディスクであるか、を判定する（Ｓ１１、Ｓ１２）。ＢＤ−ＬＩＶＥ対応のＢＤ−ＲＯＭ以外の光ディスクとは、例えば、ＢＤ−ＬＩＶＥ非対応のＢＤ−ＲＯＭ、又はＤＶＤ−ＲＯＭである。
【００５２】
光ディスク１００がＢＤ−ＬＩＶＥ対応のＢＤ−ＲＯＭ以外の光ディスクであると判定すると、制御部２１は、図６に示す再生指示ルーチンに移行する。即ち、ユーザによる再生キーの操作を受け、制御部２１は通常再生を実行する。
【００５３】
一方、光ディスク１００がＢＤ−ＬＩＶＥ対応のＢＤ−ＲＯＭであると判定すると、制御部２１は、本編用コンテンツの再生に先立って、光ディスク１００からメニュー用コンテンツをＰＵヘッド２２に読み取らせ、再生する（Ｓ１３）。このメニュー用コンテンツには、著作権侵害行為の禁止を促す警告メッセージやメニュー画面等が含まれる。
【００５４】
そして、制御部２１は、本編用コンテンツを構成する各チャプタのチャプタ番号、及びＢＤ−ＬＩＶＥの内のいずれかの選択を促すメニュー画面を出力し、ＴＶ３で表示する（Ｓ１４）。
【００５５】
そして、制御部２１は、ＢＤ−ＬＩＶＥの項目が選択されたか、チャプタ番号の項目が選択されたか、を判定する（Ｓ１５及びＳ１６）。Ｓ１５及びＳ１６では、ユーザがメニュー画面を見ながら、各チャプタのチャプタ番号及びＢＤ−ＬＩＶＥの内のいずれかを選択キーで選択する状態となっている。
【００５６】
任意のチャプタ番号の項目が選択されると、制御部２１は、選択されたチャプタ番号のチャプタを再生し、図６のＳ２に進む。
【００５７】
一方、ＢＤ−ＬＩＶＥの項目が選択されると、制御部２１は、ブラウザソフトであるＢＤ−ＬＩＶＥプログラムを起動し（Ｓ１７）、ＲＡＭ２１Ａ上に展開する。
【００５８】
制御部２１は、ネットワーク５に接続して、蓄積テーブル２９Ｂに保存されている全ジャンルの内、再生回数が所定回数以上のジャンルをＮＩＣ２０からWebサーバ４に送信する（Ｓ１８）。所定回数は、ユーザの趣味嗜好があると判断できる回数に予め設定する。所定回数は、例えば２回、５回、又は１０回であり、この実施形態では全ジャンルの中で最高の回数に予め設定している。そのため、この実施形態では、アニメのジャンルがWebサーバ４に送信される。
【００５９】
Webサーバ４の制御部４１は、ＢＤプレーヤ２から送信されたジャンルを受信すると、そのジャンルに対応する広告ファイルを対応テーブル４３から読み出し、その広告ファイルを返信する（Ｓ１０１）。この実施形態では、広告ファイル４４ＡがＢＤプレーヤ２に返信される。
【００６０】
ＢＤプレーヤ２の制御部２１は、広告ファイル４４ＡをＮＩＣ２０からダウンロードすると、その広告ファイル４４Ａに保存されている広告の画像データを再生回路２３のバッファメモリ２３Ａに転送し、その画像データに基づく広告の画像（動画又は静止画）をＴＶ３に出力するよう再生回路２３及び画像出力部２５に指示する（Ｓ１９）。これにより、図９に示すような広告がＴＶ３で表示される。
【００６１】
図９は、ＢＤ−ＬＩＶＥで表示される広告の一例を示す図である。この広告は、再生されるコンテンツからユーザの趣味嗜好を調査しているため、ユーザの趣味嗜好に応じた広告となっている。そのため、広告がＴＶ３で表示されると、ユーザは興味を持ってこの広告を見る。
【００６２】
よって、以上の構成により、ＢＤ−ＬＩＶＥの広告による宣伝効果が向上できる。また、表示される広告はユーザにとっても感心の高いものであるため、ＢＤ−ＬＩＶＥの利用率も向上できる。
【符号の説明】
【００６３】
２…ＢＤプレーヤ
３…テレビジョン
４…Webサーバ
５…ネットワーク
２０…ＮＩＣ
２１…制御部
２２…ピックアップヘッド
２３…再生回路
２３Ａ…バッファメモリ
２４…音声出力部
２５…画像出力部
２７…操作部
２７A…リモコン
２８…表示部
２９…記憶部
２９Ａ…変換テーブル
２９Ｂ…蓄積テーブル
４１…制御部
４２…ハードディスク
４３…対応テーブル
４４…広告ファイル
１００…光ディスク
１０１…広告システム
【図１】
2010165424.tif 000003
【図２】
2010165424.tif 000004
【図３】
2010165424.tif 000005
【図４】
2010165424.tif 000006
【図５】
2010165424.tif 000007
【図６】
2010165424.tif 000008
【図７】
2010165424.tif 000009
【図８】
2010165424.tif 000010
【図９】
2010165424.tif 000011